(57)【要約】【課題】本来の通信相手以外の通信設備へ影響を与えにくくすること。【解決手段】  受信手段３１は、相手局からデジタル信号を受信し、送信手段３２は、相手局へデジタル信号を送信する。エラーレート計測手段１７は、受信手段３１によるデジタル信号の受信時のフレームエラーレートを計測し、電力制御手段１７は、そのフレームエラーレートの値に応じて、送信手段３２の送信電力を多段階にまたは連続値として制御する。【選択図】図１
2008035150.tif 000002
【特許請求の範囲】
【請求項１】
相手局からデジタル信号を受信する受信手段と、
上記相手局へデジタル信号を送信する送信手段と、
上記受信手段によるデジタル信号の受信時のフレームエラーレートを計測するエラーレート計測手段と、
上記エラーレート計測手段による上記フレームエラーレートの値に応じて、上記送信手段の送信電力を多段階にまたは連続値として制御する電力制御手段と、
を備えることを特徴とする無線機。
【請求項２】
前記電力制御手段は、前記受信手段によるデジタル信号の受信時のフレームエラーレートの値が所定の値未満である場合のみ、そのフレームエラーレートの値に応じて、前記送信手段の送信電力を設定することを特徴とする請求項１記載の無線機。
【請求項３】
前記電力制御手段は、前記受信手段によるデジタル信号の受信時のフレームエラーレートの値が所定の値未満である場合のみ、そのフレームエラーレートの値および前記受信手段によるデジタル信号の受信時の受信強度に応じて、前記送信手段の送信電力を設定することを特徴とする請求項１記載の無線機。
【請求項４】
前記電力制御手段は、制御チャンネルのデジタル信号受信時のフレームエラーレートの値に応じて、前記送信手段の送信電力を設定し、
前記送信手段は、前記電力制御手段により設定された送信電力で、データチャンネルのデジタル信号を送信すること、
を特徴とする請求項１記載の無線機。  
【請求項５】
前記電力制御手段は、前記フレームエラーレートの値に応じて前記送信手段の送信電力を設定した後に、前記相手局より通知される受信状態情報に基づいて、送信電力を調整することを特徴とする請求項４記載の無線機。
【請求項６】
前記エラーレート計測手段によるフレームエラーレートを記憶する記憶手段を備え、
前記電力制御手段は、前記記憶手段に記憶されているフレームエラーレートの値に応じて、前記送信手段の送信電力を設定すること、
を特徴とする請求項１から請求項５のうちのいずれか１項記載の無線機。
【請求項７】
請求項１から請求項６のうちのいずれか１項記載の無線機と、
上記無線機との間でデジタル信号を送受するレピータと、
を備えることを特徴とする無線通信システム。
【請求項８】
前記レピータは、前記無線機からのデジタル信号を受信すると、その受信状態を示す受信状態情報をその無線機へ送信し、
前記無線機の受信手段は、上記受信状態情報を受信し、
前記無線機の電力制御手段は、前記受信手段によるデジタル信号の受信時のフレームエラーレートに基づいて設定された送信電力でデジタル信号が前記送信手段により送信された後に、上記受信状態情報に基づいて前記送信手段の送信電力を調整し、
前記無線機の送信手段は、前記電力制御手段による送信電力の調整後に、データチャンネルのデジタル信号を送信すること、
を特徴とする請求項７記載の無線通信システム。
【請求項９】
前記レピータは、前記無線機からのデータチャンネルのデジタル信号の送信が終了すると、終了時の受信状態情報をその無線機へ送信し、
前記無線機の受信手段は、終了時の上記受信状態情報を受信し、
前記無線機の電力制御手段は、データチャンネル送信開始時の前記受信状態情報とデータチャンネル送信終了時の前記受信状態情報との比較結果、およびデータチャンネル送信開始時のフレームエラーレートとデータチャンネル送信終了時のフレームエラーレートとの比較結果に基づいて、前記送信手段の送信電力を調整すること、
を特徴とする請求項８記載の無線通信システム。
【発明の詳細な説明】
【技術分野】
【０００１】
本発明は、無線機および無線通信システムに関する。
【背景技術】
【０００２】
例えば業務用の無線通信システムとして使用されるデジタルトランキングシステム（Digital Trunking System ）では、通信時の送信電力は、所定の２値（ハイおよびロー）のいずれかとされる。
【０００３】
図７は、従来の無線機の構成例を示すブロック図である。図７に示す無線機は、送受信が可能である端末である。アンテナ１０１およびローパスフィルタ１０２は送受信で兼用される。アンテナ１０１およびローパスフィルタ１０２は、切替スイッチ１０３により受信系１３１または送信系１３２に接続される。
【０００４】
図７に示す受信系１３１は、ＦＭ方式で変調されたデジタル信号を受信するダブルスーパーヘテロダイン方式の受信回路である。この受信系１３１では、バンドパスフィルタ１０４、アンプ１０５、電圧制御発振器（ＶＣＯ）１０６、ＰＬＬ回路１０７、ループフィルタ１０８および混合器１０９により１段目の周波数変換が行われ、バンドパスフィルタ１１０、アンプ１１１、発振回路１１２および混合器１１３により２段目の周波数変換が行われる。そして、周波数変換後の信号が、アンプ１１４により増幅された後、デジタルシグナルプロセッサ（ＤＳＰ）１１５に供給される。ＤＳＰ１１５は、その信号を検波してデジタル信号を復調しそのデジタル信号をアナログのオーディオ信号に変換し出力する。そのオーディオ信号は、アンプ１１８により増幅された後、スピーカ１１９に供給される。スピーカ１１９は、供給されたオーディオ信号に応じた音声（音響）を出力する。
【０００５】
一方、マイクロフォン１２０は、感受した音声（音響）に対応するオーディオ信号を、アンプ１２１を介してＤＳＰ１１５に供給する。ＤＳＰ１１５は、そのアナログのオーディオ信号をデジタル信号に変換し、送信系１３２のＶＣＯ１２２に供給する。送信系１３２は、デジタル信号をＦＭ方式で変調した変調信号を送信する送信回路である。この送信系１３２では、ＶＣＯ１２２によりＤＳＰ１１５からのデジタル信号に基づいてＦＭ方式で変調された変調信号が１段目のアンプ１２３に供給される。アンプ１２３は、所定の２値の増幅度のいずれかで、その変調信号を増幅し、２段目のアンプ１２４に供給する。アンプ１２４は、その変調信号を一定の増幅度で増幅し、出力する。
【０００６】
このような無線機を使用する無線通信システムでは、無線機間の通信を中継するレピータが設置されることがある。複数のレピータが存在し、無線機があるレピータのエリアから別のレピータのエリアへ移動した場合、無線機は、レピータの固有情報（ＩＤなど）をフレーム信号として受信し、通信相手となるレピータを切り替える。
【０００７】
また、レピータのエリア内に位置する場合、無線機は、そのレピータからフレーム信号を受信する際の信号強度を示すＲＳＳＩ（Received Signal Strength Indicator）に基づいて、ハイおよびローのいずれかの値に自己の送信電力を設定する。その際、ＣＰＵ１１７は、メモリ１１６に格納されたプログラムに従って動作し、受信系３１におけるＲＳＳＩの値を取得し、その値に基づいて、アンプ１２３を制御して、送信電力の値をハイまたはローに設定する。
【０００８】
なお、無線機同士が送信したりレピータを介して通信を行う無線機とは異なるが、携帯電話機の送信電力制御としては、例えば特許文献１に記載のものがある。
【０００９】
【特許文献１】特表２００２−５２０９８３号公報（要約等）
【発明の開示】
【発明が解決しようとする課題】
【００１０】
しかしながら、上述のように、端末側である無線機の送信出力を所定の２値（ハイおよびロー）のいずれかに限定すると、送信出力を高く設定することが多くなり、送信出力を高く設定した場合に、無線機の通信可能範囲が広くなり同時に複数のレピータと通信可能となってしまい、通信相手以外のレピータに対しても影響を与えてしまう。例えば、通信相手以外のレピータは、その無線機に対して周波数チャンネルの割り当てを試みるため、そのレピータの周波数チャンネルの利用効率が低下してしまう。
【００１１】
特に、大ゾーン、中ゾーンおよび小ゾーンとエリアの大きさが異なるレピータが混在する場合において、小ゾーンまたは中ゾーンへ無線機が移動しても、そのエリアのレピータとの通信が所定の低出力では確立できないと、無線機の送信電力は所定の高出力に設定されてしまい、上述の問題が発生しやすい。図８は、無線通信システムの一例を示す図である。図８に示すように、無線機ＨＴ３がレピータＢＳ３のエリア内に入っても、所定の低出力での通信可能範囲２０１Ｌ外にレピータＢＳ３が位置するため、無線機ＨＴ３の送信電力は所定の高出力に設定される。しかし、所定の高出力での通信可能範囲２０１Ｈ内には、２つのレピータＢＳ１，ＢＳ３が存在し、本来の通信相手であるレピータＢＳ３以外のレピータであるレピータＢＳ１は、無線機ＨＴ３からの影響を受けてしまう。
【００１２】
本発明は、上記の問題に鑑みてなされたものであり、本来の通信相手（レピータなど）以外の通信設備へ影響を与えにくい無線機および無線通信システムを得ることを目的とする。
【課題を解決するための手段】
【００１３】
上記の課題を解決するために、本発明では以下のようにした。
【００１４】
本発明に係る無線機は、相手局からデジタル信号を受信する受信手段と、相手局へデジタル信号を送信する送信手段と、受信手段によるデジタル信号の受信時のフレームエラーレートを計測するエラーレート計測手段と、エラーレート計測手段によるフレームエラーレートの値に応じて、送信手段の送信電力を多段階にまたは連続値として制御する電力制御手段とを備える。
【００１５】
また、本発明に係る無線機は、上記の無線機のいずれかに加え、次のようにしてもよい。つまり、その場合には、電力制御手段は、受信手段によるデジタル信号の受信時のフレームエラーレートの値が所定の値未満である場合のみ、そのフレームエラーレートの値に応じて、送信手段の送信電力を設定する。
【００１６】
また、本発明に係る無線機は、上記の無線機のいずれかに加え、次のようにしてもよい。つまり、その場合には、電力制御手段は、受信手段によるデジタル信号の受信時のフレームエラーレートの値が所定の値未満である場合のみ、そのフレームエラーレートの値および受信手段によるデジタル信号の受信時の受信強度に応じて、送信手段の送信電力を設定する。
【００１７】
また、本発明に係る無線機は、上記の無線機のいずれかに加え、次のようにしてもよい。つまり、その場合には、電力制御手段は、制御チャンネルのデジタル信号受信時のフレームエラーレートの値に応じて、送信手段の送信電力を設定し、送信手段は、電力制御手段により設定された送信電力で、データチャンネルのデジタル信号を送信する。
【００１８】
また、本発明に係る無線機は、上記の無線機のいずれかに加え、次のようにしてもよい。つまり、その場合には、電力制御手段は、フレームエラーレートの値に応じて送信手段の送信電力を設定した後に、相手局より通知される受信状態情報に基づいて送信電力を調整する。
【００１９】
また、本発明に係る無線機は、上記の無線機のいずれかに加え、次のようにしてもよい。つまり、その場合には、この無線機は、エラーレート計測手段によるフレームエラーレートを記憶する記憶手段を備える。そして、電力制御手段は、記憶手段に記憶されているフレームエラーレートの値に応じて送信手段の送信電力を設定する。
【００２０】
本発明に係る無線通信システムは、上記発明のいずれかの無線機と、その無線機との間でデジタル信号を送受するレピータとを備える。
【００２１】
また、本発明に係る無線通信システムは、上記の無線通信システムに加え、次のようにしてもよい。つまり、その場合には、レピータは、無線機からのデジタル信号を受信すると、その受信状態を示す受信状態情報をその無線機へ送信し、無線機の受信手段は、受信状態情報を受信する。無線機の電力制御手段は、受信手段によるデジタル信号の受信時のフレームエラーレートに基づいて設定された送信電力でデジタル信号が送信手段により送信された後に、受信状態情報に基づいて送信手段の送信電力を調整する。無線機の送信手段は、電力制御手段による送信電力の調整後に、データチャンネルのデジタル信号を送信する。
【００２２】
また、本発明に係る無線通信システムは、上記の無線通信システムのいずれかに加え、次のようにしてもよい。つまり、その場合には、レピータは、無線機からのデータチャンネルのデジタル信号の送信が終了すると、終了時の受信状態情報をその無線機へ送信し、無線機の受信手段は、終了時の受信状態情報を受信する。そして、無線機の電力制御手段は、データチャンネル送信開始時の受信状態情報とデータチャンネル送信終了時の受信状態情報との比較結果、およびデータチャンネル送信開始時のフレームエラーレートとデータチャンネル送信終了時のフレームエラーレートとの比較結果に基づいて送信手段の送信電力を調整する。
【発明の効果】
【００２３】
本発明によれば、本来の通信相手以外の通信設備へ影響を与えにくい無線機および無線通信システムを得ることができる。
【発明を実施するための最良の形態】
【００２４】
以下、図に基づいて本発明の実施の形態を説明する。
【００２５】
図１は、本発明の実施の形態に係る無線機の構成を示すブロック図である。この無線機は、シンプレクス方式のデジタルトランキングシステムにおいて使用される無線機である。その送受信周波数帯域は、例えば４５０ＭＨｚから５２０ＭＨｚまでとされる。図１において、アンテナ１は、変調信号を電波として送出するとともに、電波を感受するアンテナである。ローパスフィルタ（ＬＰＦ）２は、搬送波の周波数付近以下の周波数成分を透過させるとともに不要な高調波成分を遮断するフィルタである。アンテナ１およびＬＰＦ２は送受信で兼用される。また、切替スイッチ３は、制御信号に応じて、受信系３１または送信系３２にアンテナ１およびＬＰＦ２を接続するスイッチである。
【００２６】
受信系３１は、ＦＭ方式で変調されたデジタル信号を受信するダブルスーパーヘテロダイン方式の受信回路である。受信系３１において、バンドパスフィルタ４、アンプ５、電圧制御発振器（ＶＣＯ）６、ＰＬＬ回路７、ループフィルタ８および混合器９は１段目の周波数変換を行い、バンドパスフィルタ１０、アンプ１１、発振回路１２および混合器１３は２段目の周波数変換を行う。アンプ１４は、周波数変換後の信号を増幅する。なお、ＰＬＬ回路７およびループフィルタ８は、送信系３２と兼用される。
【００２７】
また、デジタルシグナルプロセッサ（ＤＳＰ）１５は、受信系３１により受信された信号を検波してデジタル信号とし、そのデジタル信号をアナログオーディオ信号へ変換するとともに、アナログオーディオ信号をデジタル信号へ変換し送信系３２へ供給する回路である。さらに、ＤＳＰ１５は、デジタル信号復調処理時のエラー（この実施の形態ではフレームエラー）を検出する。ＣＰＵ１７は、メモリ１６に格納されたプログラムに従って動作し、切替スイッチ３、ＤＳＰ１５およびアンプ２３を制御する制御部である。さらに、ＣＰＵ１７は、ＤＳＰ１５により検出されたデジタル信号上のエラーに基づいてエラーレート（この実施の形態ではフレームエラーレートＦＥＲ）を計算する。メモリ１６は、不揮発性の記憶部と揮発性の記憶部とを有し、予めプログラムやデータを格納したり、プログラムの実行時のデータを一時的に格納したりする記憶手段である。
【００２８】
また、アンプ１８は、アナログオーディオ信号を増幅しスピーカ１９に供給する回路である。スピーカ１９は、アナログオーディオ信号に応じた音声（音響）をユーザに対して出力する。マイクロフォン２０は、ユーザの音声などの音響をアナログ電気信号に変換する。アンプ２１は、マイクロフォン２０からのアナログオーディオ信号を増幅しＤＳＰ１５に供給する回路である。
【００２９】
一方、送信系３２は、デジタル信号をＦＭ方式で変調した変調信号を送信する送信回路である。送信系３２において、電圧制御発振器（ＶＣＯ）２２は、ＰＬＬ回路７およびループフィルタ８とともに位相同期ループを構成し、ＤＳＰ１５からの信号の電圧に応じた発振周波数で発振する回路である。また、アンプ２３は、ＣＰＵ１７からの制御信号に応じて、電力増幅度を多段階にまたは連続値として設定可能な増幅回路である。アンプ２４は、一定の増幅度を有する増幅回路である。
【００３０】
次に、上記装置の動作について説明する。図２は、レピータを介して他の無線機と通信する際の、本発明の実施の形態に係る無線機の動作を説明する図である。
【００３１】
本発明の実施の形態に係る無線機Ａは、図示せぬレピータのエリアに入るとエリア内であることを示す識別信号を制御チャンネルで受信する（ステップＳ１１）。その際、無線機Ａの受信系３１は、その信号を復調しそのデジタル信号をＤＳＰ１５に供給する。さらに、受信系３１の図示せぬ検出回路によりその際のＲＳＳＩの値が測定されＣＰＵ１７に供給される（ステップＳ１２）。ＤＳＰ１５は、供給されたデジタル信号のフレームエラーを検出し、ＣＰＵ１７は、ＤＳＰ１５により検出されたフレームエラーの回数からフレームエラーレートを計算する（ステップＳ１２）。
【００３２】
次に、ＣＰＵ１７は、それらのＲＳＳＩの値およびフレームエラーレートの値から送信電力を決定する。具体的には、ＣＰＵ１７は、アンプ２３の増幅度を決定し、その増幅度になるようにアンプ２３を制御する（ステップＳ１３）。
【００３３】
図３は、ＦＥＲおよびＲＳＳＩと電力制御係数との対応関係の一例を示す図である。図３に示すように、この実施の形態では、ＦＥＲおよびＲＳＳＩの値が３以上の多段階となっている。この実施の形態では、メモリ１６が図３に示すテーブルを予め格納し、ＣＰＵ１７は、メモリ１６におけるそのテーブルを参照し、ＲＳＳＩの値およびフレームエラーレートの値から電力制御係数Ａ１，Ａ２を取得し、電力制御係数Ａ１，Ａ２からアンプ２３の増幅度を計算する。例えば、電力制御係数Ａ１，Ａ２の和、積または平均をアンプ２３の増幅度としてもよいし、電力制御係数Ａ１，Ａ２を変数とした所定の数式に基づいてアンプ２３の増幅度を計算してもよい。
【００３４】
その後、図示せぬＰＴＴ（Press To Talk）スイッチがオン操作されたことをＣＰＵ１７が検出すると、ＣＰＵ１７は、装置の動作モードを受信モードから送信モードへ変更し、切替スイッチ３を制御して送信系３２をアンテナ１およびＬＰＦ２に接続させ、まず、ＤＳＰ１５に、呼信号（デジタル信号）を出力させる（ステップＳ１４）。そのデジタル信号はＤＳＰ１５から送信系３２のＶＣＯ２２に供給され、そのデジタル信号に基づいて搬送波が変調され変調信号がアンプ２３に供給される。アンプ２３は、ＣＰＵ１７により設定された増幅度でその変調信号を増幅し、次段のアンプ２４がさらにその信号を増幅する。そして、その変調信号は、切替スイッチ３およびＬＰＦ２を介してアンテナ１から電波として送出される。
【００３５】
レピータは、その信号を受信すると、別の無線機Ｂへ転送する。その後、レピータは、その別の無線機Ｂから応答があると、自己の識別情報を含む固有情報と無線機Ａ，Ｂからの受信状態を示す受信状態情報とを無線機Ａ，Ｂへそれぞれ送信するとともに（ステップＳ１６，Ｓ１７）、無線機Ａ，Ｂ間の通信を確立するためのチャンネルを割り当てる（ステップＳ１８，Ｓ１９）。なお、無線機Ａに対して送信される受信状態情報は、レピータにより無線機Ａからの信号が受信された際に検出されたＲＳＳＩ、受信信号レベルなどとされる。
【００３６】
他方、無線機ＡのＣＰＵ１７は、呼信号の送信後、装置の動作モードを受信モードに切り替え、切替スイッチ３により受信系３１をアンテナ１およびＬＰＦ２に接続させる。その後、無線機ＡのＣＰＵ１７は、ＤＳＰ１５によりレピータからの固有情報および受信状態情報が検出されると、その受信状態情報に基づいて、送信電力を調整する。具体的には、ＣＰＵ１７は、その受信状態情報に基づいて、アンプ２３の増幅度を調整する。
【００３７】
図４は、レピータからの受信状態情報と電力制御係数との対応関係の一例を示す図である。この実施の形態では、メモリ１６が図４に示すテーブルを予め格納し、ＣＰＵ１７は、メモリ１６におけるそのテーブルを参照し、受信状態情報の値から電力制御係数Ａを取得し、その値にアンプ２３の増幅度を設定する。
【００３８】
そして、ＣＰＵ１７は、装置の動作モードを送信モードへ変更し、送信モードでは、ＤＳＰ１５からデジタルオーディオ信号が出力される。そのデジタル信号はＤＳＰ１５から送信系３２のＶＣＯ２２に供給され、そのデジタル信号に基づいて搬送波が変調され変調信号がアンプ２３に供給される。アンプ２３は、ＣＰＵ１７により調整された増幅度でその変調信号を増幅し、次段のアンプ２４がさらにその信号を増幅する。そして、その変調信号は、切替スイッチ３およびＬＰＦ２を介してアンテナ１から電波として送出される。
【００３９】
このようにして、無線機Ａから通話時の音声信号が送信されレピータを介して無線機Ｂにより受信される（ステップＳ２０）。その後、図示せぬＰＴＴスイッチがオフ操作されたことをＣＰＵ１７が検出すると、ＣＰＵ１７は、送信を終了し、装置の動作モードを受信モードに切り替える。
【００４０】
その後、無線機Ａ，Ｂが一定期間以上通信を行わないと、レピータは、アイドル状態通知を無線機Ａ，Ｂに送信する（ステップＳ２１，Ｓ２２）。
【００４１】
無線機Ａは、アイドル状態通知を受信すると、ステップＳ１２，Ｓ１３の処理と同様にして、その際のＲＳＳＩおよびＦＥＲに基づいて送信電力を再設定する（ステップＳ２３，Ｓ２４）。次回、無線機Ａが送信モードになると、再設定された送信電力で信号が送信される。
【００４２】
図５は、ＦＥＲおよびＲＳＳＩと送信電力との対応関係の一例を示す図である。以上のようにして送信電力が制御されると、図５（Ａ）に示すように、割当チャンネルを受信しておりＦＥＲの値がほぼ１００％ではない場合には、ＲＳＳＩの値が低いときほど、送信電力が大きく設定される。また、図５（Ｂ）に示すように、割当チャンネルではない隣接チャンネルを受信しておりＦＥＲの値がほぼ１００％である場合には、送信電力は最低値ＮＬとされる。これにより、ＲＳＳＩのみに基づいて送信電力を設定する場合に比べ、無線機は隣接チャンネルの影響を受けずに済むとともに、隣接チャンネルのレピータは無線機からの影響を受けずに済む。
【００４３】
以上のように、上記実施の形態によれば、受信手段としての受信系３１は、相手局からデジタル信号を受信し、送信手段としての送信系３２は、相手局へデジタル信号を送信する。エラーレート計測手段としてのＣＰＵ１７は、受信系３１によるデジタル信号の受信時のフレームエラーレートを計測し、電力制御手段としてのＣＰＵ１７は、そのフレームエラーレートの値に応じて、送信系３２の送信電力を多段階にまたは連続値として制御する。特に、上記実施の形態では、ＣＰＵ１７は、受信系３１よるデジタル信号の受信時のフレームエラーレートの値が所定の値未満である場合のみ、そのフレームエラーレートの値および受信系３１によるデジタル信号の受信時の受信強度に応じて、送信系３２の送信電力を設定する。
【００４４】
これにより、レピータなどの通信相手のエリアの規模に応じて送信電力を多段階にまたは連続値として制御することで、不必要に送信電力を大きくせずに済み、また、本来の通信相手以外の通信相手からの信号を受信した際にはフレームエラーレートが大きくなるため、復調されるデジタル信号のフレームエラーレートに基づいて送信電力を制御することで、選択的に本来の通信相手からの信号の強度に基づいて送信電力を正確に設定することができる。ひいては、本来の通信相手であるレピータ以外のレピータへ影響を与えにくくすることができる。
【００４５】
図６は、本発明の実施の形態に係る無線通信システムの一例を示す図である。図６において、実線はレピータＢＳ１，ＢＳ２，ＢＳ３のエリアを示し、一点鎖線は最小送信電力時の無線機の通信可能範囲を、二点鎖線は最大送信電力時の無線機の通信可能範囲を示している。また、レピータＢＳ１は大ゾーンのレピータであり、レピータＢＳ２は小ゾーンのレピータであり、レピータＢＳ３は中ゾーンのレピータである。上述のようにすることで、図６に示すように、通信相手となるレピータＢＳ３に対して適切な送信出力が無線機ＨＴ３において設定され、無線機ＨＴ３の通信可能範囲６１から他のレピータＢＳ１，ＢＳ２を外すことができ、他のレピータＢＳ１，ＢＳ２への影響を軽減することができる。特に、大ゾーン、中ゾーン、小ゾーンのレピータが混在する場合には、この効果は顕著である。
【００４６】
また、上記実施の形態によれば、無線機の送信電力が不必要に高く設定されないため、携帯型の無線機の場合、電池の消耗を遅くさせることができる。
【００４７】
また、上記実施の形態によれば、ＣＰＵ１７は、識別信号、固有情報、アイドル状態通知などといった制御チャンネルのデジタル信号受信時のエラーレートの値に応じて、送信系３２の送信電力を設定し、送信系３２は、ＣＰＵ１７により設定された送信電力で、通話音声を含むデータチャンネルのデジタル信号を送信する。なお、データチャンネルとは、利用者の音声データなどといったユーザデータを送受するためのチャンネルである。
【００４８】
これにより、端末間のデータチャンネルを確立する前の接続処理の段階で無線機が適切な送信電力を設定することができ、データチャンネルでの通信の最初から適切な送信電力で通信を行うことができる。
【００４９】
また、上記実施の形態によれば、ＣＰＵ１７は、エラーレートの値に応じて送信系３２の送信電力を設定し、その後、レピータなどの相手局より通知される受信状態情報に基づいて送信電力を調整する。
【００５０】
これにより、相手局における現実の受信状態に基づいて送信電力を調整されるため、無線機において、より適切な送信電力が設定される。
【００５１】
なお、上述の実施の形態は、本発明の好適な例であるが、本発明は、これらに限定されるものではなく、本発明の要旨を逸脱しない範囲において、種々の変形、変更が可能である。
【００５２】
例えば、記憶手段としてのメモリ１６が、ＣＰＵ１７により測定されたエラーレートを記憶し、ＣＰＵ１７が、メモリ１６に記憶されているエラーレートの値に応じて送信系３２の送信電力を設定するようにしてもよい。これにより、例えば無線機の電源スイッチをオフしその後オンにした場合でも、前回通信時に設定された送信電力が最初に設定され、無線機があまり移動していなければ、通信の初めから適切な送信電力で通信を行うことができる。
【００５３】
また、上記実施の形態において、次のようにしてもよい。つまり、その場合には、レピータは、無線機からのデータチャンネルのデジタル信号の送信が終了すると、終了時の受信状態情報をその無線機へ送信し、無線機の受信系３１は、終了時の受信状態情報を受信する。そして、無線機のＣＰＵ１７は、データチャンネル送信開始時の受信状態情報とデータチャンネル送信終了時の受信状態情報との比較結果、およびデータチャンネル送信開始時のエラーレートとデータチャンネル送信終了時のエラーレートとの比較結果に基づいて送信系３２の送信電力を調整する。これにより、無線機において、次回の通信のために、より適切に送信電力が設定される。また、無線機のＣＰＵ１７は、データチャンネルの送信終了時のＦＥＲを測定し、上述の比較結果の他、このＦＥＲを考慮して送信系３２の送信電力を調整するようにしてもよい。
【００５４】
また、上記実施の形態においては、無線機の通信相手となる相手局がレピータであるが、無線機同士が直接通信する場合でも、同様に無線機の送信電力が設定される。
【００５５】
また、上記実施の形態においては、送信電力をテーブルを参照して多段階に制御しているが、例えば滑らかな関数などに基づいて送信電力を計算し連続的に可変させるようにしてもよい。
【００５６】
また、上記実施の形態において、フレームエラーレートが所定値以上である場合には、本来の通信相手との通信ではないと判断し、送信自体を行わないようにしてもよい。これにより、本来の通信相手以外への影響を低減することができるとともに、無線機の電池の消耗を抑制することができる。
【産業上の利用可能性】
【００５７】
本発明は、例えば、業務用の無線通信システムに適用可能である。
【図面の簡単な説明】
【００５８】
【図１】本発明の実施の形態に係る無線機の構成を示すブロック図である。
【図２】レピータを介して他の無線機と通信する際の、本発明の実施の形態に係る無線機の動作を説明する図である。
【図３】ＦＥＲおよびＲＳＳＩと電力制御係数との対応関係の一例を示す図である。
【図４】レピータからの受信状態情報と電力制御係数との対応関係の一例を示す図である。
【図５】ＦＥＲおよびＲＳＳＩと送信電力との対応関係の一例を示す図である。
【図６】本発明の実施の形態に係る無線通信システムの一例を示す図である。
【図７】従来の無線機の構成例を示すブロック図である。
【図８】無線通信システムの一例を示す図である。
【符号の説明】
【００５９】
１，１０１  アンテナ
２，１０２  ローパスフィルタ
３，１０３  切替スイッチ
４，１０，１０４，１１０  バンドパスフィルタ
５，１１，１４，１８，２１，２３，２４，１０５，１１１，１１４，１１８，１２１，１２３，１２４  アンプ
６，２２，１０６，１２２  電圧制御発振器
７，１０７  ＰＬＬ回路
８，１０８  ループフィルタ
９，１３，１０９，１１３  混合器
１２，１１２  発振回路
１５，１１５  デジタルシグナルプロセッサ
１６  メモリ（記憶手段）
１７  ＣＰＵ（エラーレート計測手段，電力制御手段）
１９，１１９  スピーカ
２０，１２０  マイクロフォン
３１  受信系（受信手段）
３２  送信系（送信手段）
６１  通信可能範囲
２０１Ｈ  通信可能範囲
２０１Ｌ  通信可能範囲
ＢＳ１，ＢＳ２  レピータ
ＢＳ３  レピータ（相手局）
ＨＴ１，ＨＴ２，ＨＴ３  無線機
【図１】
2008035150.tif 000003
【図２】
2008035150.tif 000004
【図３】
2008035150.tif 000005
【図４】
2008035150.tif 000006
【図５】
2008035150.tif 000007
【図６】
2008035150.tif 000008
【図７】
2008035150.tif 000009
【図８】
2008035150.tif 000010